(57)【要約】【課題】  カラー通信での差別化を図る。【解決手段】  カラー情報を通信可能なファクシミリ装置において、媒体をセットする手段、セットされた媒体からの情報を送信する手段、複数の回線種別での通信を実行する手段を有し、セットされた媒体からの情報送信が選択時は、送信情報の送信画素数により、使用する回線種別を変える。ここで、送信画素数が所定画素数以上であれば、第一の回線を使用してカラー通信を実行し、送信画素数が所定画素数未満であれば、第二の回線を使用してカラー通信を実行する。上記にて、送信画素数が所定画素数未満であれば、ユーザの選択した回線を使用してカラー通信を実行しても良い。【選択図】  図１
2007043298.tif 000002
【特許請求の範囲】
【請求項１】
カラー情報を通信可能なファクシミリ装置において、媒体をセットする手段、セットされた媒体からの情報を送信する手段、複数の回線種別での通信を実行する手段を有し、セットされた媒体からの情報送信が選択時は、送信情報の送信画素数により、使用する回線種別を変える事を特徴とするファクシミリ装置。
【請求項２】
請求項１に記載のファクシミリ装置において、セットされた媒体からの情報を送信する時は、送信画素数が所定画素数以上であれば、第一の回線を使用してカラー通信を実行し、送信画素数が所定画素数未満であれば、第二の回線を使用してカラー通信を実行する事を特徴とするファクシミリ装置。
【請求項３】
請求項１に記載のファクシミリ装置において、セットされた媒体からの情報を送信する時は、送信画素数が所定画素数以上であれば、第一の回線を使用してカラー通信を実行し、送信画素数が所定画素数未満であれば、ユーザの選択した回線を使用してカラー通信を実行する事を特徴とするファクシミリ装置。
【請求項４】
請求項１、請求項２、又は請求項３に記載のファクシミリ装置において、原稿情報を送信する時は、送信画素数に無関係に、ユーザの選択した回線を使用して通信を実行する事を特徴とするファクシミリ装置。
【請求項５】
請求項４に記載のファクシミリ装置において、原稿情報を送信する時は、送信画素数に無関係に、ユーザの選択した回線を使用してカラー通信を実行する事を特徴とするファクシミリ装置。
【請求項６】
請求項１〜請求項５のいずれかに記載のファクシミリ装置において、第一の通信回線は、ＰＳＴＮのみである事を特徴とするファクシミリ装置。
【請求項７】
請求項１〜請求項６のいずれかに記載のファクシミリ装置において、第二の通信回線は、インターネット網の使用である事を特徴とするファクシミリ装置。
【請求項８】
カラー情報を通信可能なファクシミリ通信方式において、媒体をセットする手段、セットされた媒体からの情報を送信する手段、複数の回線種別での通信を実行する手段を有し、セットされた媒体からの情報送信が選択時は、送信情報の送信画素数により、使用する回線種別を変える事を特徴とするファクシミリ通信方式。
【請求項９】
請求項８に記載のファクシミリ通信方式において、セットされた媒体からの情報を送信する時は、送信画素数が所定画素数以上であれば、第一の回線を使用してカラー通信を実行し、送信画素数が所定画素数未満であれば、第二の回線を使用してカラー通信を実行する事を特徴とするファクシミリ通信方式。
【請求項１０】
請求項８に記載のファクシミリ通信方式において、セットされた媒体からの情報を送信する時は、送信画素数が所定画素数以上であれば、第一の回線を使用してカラー通信を実行し、送信画素数が所定画素数未満であれば、ユーザの選択した回線を使用してカラー通信を実行する事を特徴とするファクシミリ通信方式。
【請求項１１】
請求項８、請求項９、又は請求項１０のいずれかに記載のファクシミリ通信方式において、原稿情報を送信する時は、送信画素数に無関係に、ユーザの選択した回線を使用して通信を実行する事を特徴とするファクシミリ通信方式。
【請求項１２】
請求項１１に記載のファクシミリ通信方式において、原稿情報を送信する時は、送信画素数に無関係に、ユーザの選択した回線を使用してカラー通信を実行する事を特徴とするファクシミリ通信方式。
【請求項１３】
請求項８〜請求項１２のいずれかに記載のファクシミリ通信方式において、第一の通信回線は、ＰＳＴＮのみである事を特徴とするファクシミリ通信方式。
【請求項１４】
請求項８〜請求項１３のいずれかに記載のファクシミリ通信方式において、第二の通信回線は、インターネット網の使用である事を特徴とするファクシミリ通信方式。
【発明の詳細な説明】
【技術分野】
【０００１】
本発明は、ファクシミリ装置、特に、ＪＰＥＧ情報を通信可能なファクシミリ装置に関するものである。
【背景技術】
【０００２】
従来のカラー情報を通信可能なファクシミリ装置は、ＩＴＵ−Ｔ勧告Ｔ．３０、Ｔ．４、Ｔ．８１、Ｔ．４２で、決まっていて、色空間Ｌａｂでのカラー通信であった。最近は、デジタルカメラが普及して、デジタルカメラで撮影した情報をそのままファクシミリプロトコルを使用して送信したいというニーズが高まってきた。これに伴い、デジタルカメラで使用している色空間はＬａｂでなく、色空間ｓＹＣＣでのカラー通信である。このため、色空間ｓＹＣＣでのＪＰＥＧ符号化情報をそのまま送信するプロトコルを検討中である。
【０００３】
又、別の従来例としては、特許文献１をあげることが出来る。
【特許文献１】特開２００３−０３７７４２号公報
【発明の開示】
【発明が解決しようとする課題】
【０００４】
しかしながら、色空間ｓＹＣＣのＪＰＥＧフルカラー送信を考えると、基本的には、カラー原稿情報の送信で無く、デジタルカメラで撮影しコンパクトフラッシュ（登録商標）カードに格納されているファイル情報送信のケースが多い。
【０００５】
ここで、デジタルカメラで撮影しコンパクトフラッシュ（登録商標）カードに格納されているファイル情報送信のケースで、ＰＳＴＮのみを使用する場合では、コンパクトフラッシュ（登録商標）カードに格納されている情報をそのまま送信すると、送信画素数が多すぎて、通信時間が非常に長くなり、その結果通信コストが高くなってしまうという欠点があった。ここで、一方、インターネット網を使用した見なし音声通信等では、通信時間が長くなっても、通信コストがかからない場合は、デジタルカメラで撮影した画素数のまま送信したいという要望があった。
【課題を解決するための手段】
【０００６】
第１の本発明によれば、カラー情報を通信可能なファクシミリ装置において、媒体をセットする手段、セットされた媒体からの情報を送信する手段、複数の回線種別での通信を実行する手段を有し、セットされた媒体からの情報送信が選択時は、送信情報の送信画素数により、使用する回線種別を変える事が可能になった。第２の本発明によれば、第１の本発明のファクシミリ装置において、セットされた媒体からの情報を送信する時は、送信画素数が所定画素数以上であれば、第一の回線を使用してカラー通信を実行し、送信画素数が所定画素数未満であれば、第二の回線を使用してカラー通信を実行するが可能になった。
【０００７】
これらにより、デジタルカメラで撮影しコンパクトフラッシュ（登録商標）カードに格納されているファイル情報の送信が選択された時、送信する画素数が調べて、これが、所定画素数未満であれば、ＰＳＴＮを使用して、Ｖ．３４により３３．６Ｋｂ／ｓでの通信を実行し、従来からの通信を確保するという信頼性の高いファクシミリ通信を確実に実行できる。一方、送信する画素数が、所定画素数以上であれば、インターネット網、より具体的には、ＩＰ電話網を使用した見なし音声通信等を実行し、通信時間が長くなっても、通信コストがかからないので、デジタルカメラで撮影した画素数のまま送信したいという要望に適確に答えた通信が可能になりユーザには使い易くなった。
【０００８】
第３の本発明によれば、第１の本発明のファクシミリ装置において、セットされた媒体からの情報を送信する時は、送信画素数が所定画素数以上であれば、第一の回線を使用してカラー通信を実行し、送信画素数が所定画素数未満であれば、ユーザの選択した回線を使用してカラー通信を実行する事が可能になった。
【０００９】
これにより、デジタルカメラで撮影しコンパクトフラッシュ（登録商標）カードに格納されているファイル情報の送信が選択された時、送信する画素数が調べて、これが、所定画素数未満であれば、ユーザがＰＳＴＮ通信を選択していれば、ＰＳＴＮを使用して、Ｖ．３４により３３．６Ｋｂ／ｓでの通信を実行し、従来からの通信を確保するという信頼性の高いファクシミリ通信を確実に実行し、ユーザがインターネット通信を選択していれば、インターネット網、より具体的には、ＩＰ電話網を使用した見なし音声通信等を実行し、通信時間が長くなっても、通信コストがかからないので、デジタルカメラで撮影した画素数のまま送信したいという要望に適確に答えた通信が可能になりユーザには使い易くなった。一方、送信する画素数が、所定画素数以上であれば、インターネット網、より具体的には、ＩＰ電話網を使用した見なし音声通信等を実行し、通信時間が長くなっても、通信コストがかからないので、デジタルカメラで撮影した画素数のまま送信したいという要望に適確に答えた通信が可能になりユーザには使い易くなった。
【００１０】
第４の本発明によれば、第１、第２、第３の本発明のファクシミリ装置において、原稿情報を送信する時は、送信画素数に無関係に、ユーザの選択した回線を使用して通信を実行する事が可能になった。
【００１１】
第５の本発明によれば、第４の本発明のファクシミリ装置において、原稿情報を送信する時は、送信画素数に無関係に、ユーザの選択した回線を使用してカラー通信を実行するが可能になった。
【００１２】
これらにより、デジタルカメラで撮影しコンパクトフラッシュ（登録商標）カードに格納されているファイル情報の送信時、ユーザがこのファイルサイズを認識できないため、画素数が所定画素数より多い場合は、コスト（通信費）が増える事を未然に防ぐために、インターネット通信へ自動的に切り替えたが、カラー原稿送信では、ユーザが送信情報量を概略は把握できるため、ユーザの選択した回線種別での通信を実行でき、ＰＳＴＮの確実性重視、インターネットの通信費重視をユーザが決定でき使い易くなった。
【００１３】
第６の本発明によれば、第１、第２、第３、第４、第５の本発明のファクシミリ装置において、第一の通信回線は、ＰＳＴＮのみである事が可能になった。第７の本発明によれば、第１、第２、第３、第４、第５、第６の本発明のファクシミリ装置において、第二の通信回線は、インターネット網の使用もある事が可能であった。
【００１４】
これらにより、第１の本発明から第５の本発明において、回線種別の具体例が明確になった。
【００１５】
第８から第１４の本発明は、第１から第７の本発明をファクシミリ装置からファクシミリ通信方式にしたものである。
【発明の効果】
【００１６】
第１、２の本発明によれば、デジタルカメラで撮影しコンパクトフラッシュ（登録商標）カードに格納されているファイル情報の送信が選択された時、送信する画素数を調べて、これが、所定画素数未満であれば、ＰＳＴＮを使用して、Ｖ．３４により３３．６Ｋｂ／ｓでの通信を実行し、従来からの通信を確保するという信頼性の高いファクシミリ通信を確実に実行できる。一方、送信する画素数が、所定画素数以上であれば、インターネット網、より具体的には、ＩＰ電話網を使用した見なし音声通信等を実行し、通信時間が長くなっても、通信コストがかからないので、デジタルカメラで撮影した画素数のまま送信したいという要望に適確に答えた通信が可能になりユーザには使い易くなった。
【００１７】
第３の本発明によれば、デジタルカメラで撮影しコンパクトフラッシュ（登録商標）カードに格納されているファイル情報の送信が選択された時、送信する画素数を調べて、これが、所定画素数未満であれば、ユーザがＰＳＴＮ通信を選択していれば、ＰＳＴＮを使用して、Ｖ．３４により３３．６Ｋｂ／ｓでの通信を実行し、従来からの通信を確保するという信頼性の高いファクシミリ通信を確実に実行し、ユーザがインターネット通信を選択していれば、インターネット網、より具体的には、ＩＰ電話網を使用した見なし音声通信等を実行し、通信時間が長くなっても、通信コストがかからないので、デジタルカメラで撮影した画素数のまま送信したいという要望に適確に答えた通信が可能になりユーザには使い易くなった。一方、送信する画素数が、所定画素数以上であれば、インターネット網、より具体的には、ＩＰ電話網を使用した見なし音声通信等を実行し、通信時間が長くなっても、通信コストがかからないので、デジタルカメラで撮影した画素数のまま送信したいという要望に適確に答えた通信が可能になりユーザには使い易くなった。
【００１８】
第４、第５の本発明によれば、デジタルカメラで撮影しコンパクトフラッシュ（登録商標）カードに格納されているファイル情報の送信時、ユーザがこのファイルサイズを認識できないため、画素数が所定画素数より多い場合は、コスト（通信費）が増える事を未然に防ぐために、インターネット通信へ自動的に切り替えたが、カラー原稿送信では、ユーザが送信情報量を概略は把握できるため、ユーザの選択した回線種別での通信を実行でき、ＰＳＴＮの確実性重視、インターネットの通信費重視をユーザが決定でき使い易くなった。
【００１９】
第６の本発明によれば、第１の本発明から第５の本発明において、回線種別の具体例が明確になった。
【発明を実施するための最良の形態】
【００２０】
次に、本発明の詳細を実施例の記述に従って説明する。
【実施例１】
【００２１】
以下、図面に示す実施の形態に基づいて、本発明を詳細に説明する。
【００２２】
図１には、本発明の実施の形態であるファクシミリ装置がブロック図として図示されている。
【００２３】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、回線２ａを電話機側に接続（ＣＭＬオフ）したり、回線２ａをファクシミリ装置側に接続（ＣＭＬオン）するものである。なお、通常状態では、回線２ａは、電話機４側に接続されている。
【００２４】
４は、電話機である。
【００２５】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００２６】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基ずいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００２７】
１０は、発呼回路であり、バス２６からの信号により、電話番号情報を入力し、信号線１０ａにＤＴＭＦの選択信号を出力する。
【００２８】
１２は、加算回路であり、信号線８ａの情報と信号線１０ａの情報を入力し、加算した結果を信号線１２ａに出力する。
【００２９】
１４は、カラー読み取り可能な読取回路であり、読み取りデータをバス２６に出力する。
【００３０】
１６は、カラー記録可能な記録回路であり、バス２６に出力されている情報を順次１ライン毎に記録する。
【００３１】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
【００３２】
２０は、操作部であり、ワンタッチダイヤル、短縮ダイヤル、テンキー、＊キー、＃キー、スタートキー、ストップキー、セットキー、ファイル情報の送信を選択するキー、カラー送信選択キー、使用回線選択キー、その他のファンクションキーがあり、押下されたキー情報はバス２６に出力される。
【００３３】
操作部には、表示部があり、バス２６に出力されている情報を入力し、表示する。
【００３４】
図９には、操作部の具体例が図示されている。ここで、解像度選択ボタンで標準モード、ファインモード、スーパーファインモードの選択をし、同様に、濃度ボタンで濃い、普通、薄いの選択、読み取りボタンでカラー、モノクロ読み取りも選択、回線選択ボタンでＰＳＴＮ、インターネットの選択、機能選択ボタンでコピー、プリント、ＦＡＸの選択を実施する。一方、表示部では、各種の表示を実行し、テンキー、あるいは、ワンタッチダイヤルキーでダイヤル操作を実行する。ワンタッチダイヤルキーの蓋をあけると、各種、モードの選択のためのファンクションキーがある。
【００３５】
２２は、ＣＰＵ（中央処理装置）であり、ファクシミリ全体の制御をしたり、ファクシミリ伝送制御手順を実行するが、その制御プログラムは、ＲＯＭ２４に格納される。
【００３６】
２６は、バスである。
【００３７】
２８は、カードインターフェイスであり、３０のカード（例えば、デジタルカメラで撮影した情報が記憶されているコンパクトフラッシュ（登録商標）カード）がセットされる。
【００３８】
３２は、ネットワークカードであり、信号線３６ａのＬＡＮに接続される。
【００３９】
３４は、スプリッタであり、信号線３４ａは電話回線である。ここで、高域の信号は３４ｂに入出力され、低域の信号は２ａに入出力される。
【００４０】
３６は、ブロードバンドルータであり、信号線３６ａはＬＡＮである。
【００４１】
３８は、ＰＣである。
【００４２】
図２には、本発明により、カラー関連のビット情報、さらに、新規にＩＴＵ−Ｔ勧告Ｔ．３０に追加する情報が図示されている。
【００４３】
ＤＩＳ／ＤＴＣ信号のＦＩＦの６８ビットにより、色空間ＬａｂでのＪＰＥＧ符号化での受信機能の有無を通知し、ＤＣＳ信号のＦＩＦの６８ビットにより、色空間ＬａｂでのＪＰＥＧ符号化での送信を指定をする。
【００４４】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００４５】
ＤＩＳ／ＤＴＣ信号のＦＩＦのＸビットにより、色空間ｓＹＣＣでのＪＰＥＧ符号化受信機能の有無を通知し、ＤＣＳ信号のＦＩＦのＸビットにより、色空間ｓＹＣＣでのＪＰＥＧ符号化送信を指定をする。
【００４６】
２４は、カラー情報を通信可能なファクシミリ装置において、媒体をセットする手段、セットされた媒体からの情報を送信する手段、複数の回線種別での通信を実行する手段を有し、セットされた媒体からの情報送信が選択時は、送信情報の送信画素数により、使用する回線種別を変える。具対的には、セットされた媒体からの情報を送信する時は、送信画素数が所定画素数以上であれば、第一の回線を使用してカラー通信を実行し、送信画素数が所定画素数未満であれば、第二の回線を使用してカラー通信を実行する。ここで、原稿情報を送信する時は、送信画素数に無関係に、ユーザの選択した回線を使用してカラー通信を実行する。ここで、第一の通信回線は、ＰＳＴＮのみであり、第二の通信回線は、インターネット網の使用もある。
【００４７】
以上の制御プログラムが格納されている。
【００４８】
図３には、ファイル情報の送信が選択されている時の送信画素数と、ファイル情報の送信が選択されていない時の送信モード（具体的には、標準モード、ファインモード、スーパファインモード）に対応した、読み取りの解像度の選択、及び、使用する回線（ユーザ選択も含む）が図示されている。
【００４９】
具体的には、コンパクトフラッシュ（登録商標）カードに格納されているファイル情報の送信が選択されている時は、送信画素数が２００万画素以上であると、ユーザが選択している回線に無関係に、通信回線としてＩＰ網も利用した通信、例えば、ＩＰ電話での見なし音声通信を実行する。一方、送信画素数が２００万画素未満であると、ユーザが選択している回線に無関係に、通信回線としてＰＳＴＮ網も利用した通信を実行する。
【００５０】
一方、原稿の送信が選択されている時の送信モードが標準モードであると、主走査解像度＝１００ｄｐｉ、副走査画素数＝１００ｄｐｉとし、同様に、ファインモードモードであると、主走査解像度＝３００ｄｐｉ、副走査画素数＝３００ｄｐｉとし、スーパファインモードモードであると、主走査解像度＝４００ｄｐｉ、副走査画素数＝４００ｄｐｉとする。そして、ユーザが選択している回線に基ずいて、通信回線としてＩＰ網あるいは、ＰＳＴＮ網も利用した通信を実行する。
【００５１】
図４、図５、図６、図７には、図１の制御の流れ図が図示されている。
【００５２】
図４において、S0は、始めを表している。
【００５３】
S２は、バス２６を介して、メモリ１８をイニシャライズする事を表している。
【００５４】
S４は、バス２６を介して、操作部の表示部をクリアする事を表している。
【００５５】
S６では、バス２６を介してＮＣＵ２のCMLをオフする。
【００５６】
Ｓ８では、ファクシミリ送信が選択されたか否かが判断されＹＥＳであるとＳ１２に進み、ＮＯであるとＳ１０に進み、その他の処理をする。
【００５７】
Ｓ１２では、操作部の情報を入力して、ファイル情報の送信が選択されたか否かが判断され、ＹＥＳであるとＳ１４に進み、ＮＯである、すなわち、原稿情報の送信が選択されているとＳ３２に進む。
【００５８】
Ｓ１４では、コンパクトフラッシュ（登録商標）カードに格納されているファイル情報は、色空間ｓＹＣＣで２００万画素以上であるか否かが判断され、ＹＥＳであるとＳ１６に進み、ＮＯであるとＳ１８に進む。
【００５９】
Ｓ１６は、ネットワーク、ＬＡＮを使用したＩＰ網でのファイル情報の送信を表している。ここで、ＳＩＰでの呼接続後は、ＰＳＴＮ網と同様なプロトコルで見なし音声でのＩＰ網を利用した通信を実行する。また、相手受信機にｓＹＣＣカラーの受信機能が無い時には、ＰＳＴＮと同様に通信断として、その旨を表示する。
【００６０】
Ｓ１８では、バス２６を介してＮＣＵ２のCMLをオンする。
【００６１】
Ｓ２０は、バス２６を介して、発呼回路を使用して指定された宛先へ発呼する事を表している。
【００６２】
Ｓ２２は、前手順を表している。
【００６３】
Ｓ２４では、ＤＩＳ信号のＦＩＦのＸビットは１であるか否かが判断され、ＹＥＳであるとＳ２６に進み、ＮＯであるとＳ３５に進む。
【００６４】
Ｓ２６は、残りの前手順を実行する。ここで、ＤＣＳ信号のＦＩＦのＸビットを１にする。
【００６５】
Ｓ２８は、コンパクトフラッシュ（登録商標）カードに格納されている色空間ｓＹＣＣのＪＰＥＧ符号化情報を、そのまま、フルカラー送信する事を表している。
【００６６】
Ｓ３０は、後手順を表している。
【００６７】
Ｓ３２では、操作部の表示部の情報を入力し、使用回線の選択をチェックし、ＩＰ網の使用が選択されているとＳ３４に進み、ＰＳＴＮ通信網の使用が選択されているとＳ３６に進む。
【００６８】
Ｓ３４は、ネットワーク、ＬＡＮを使用したＩＰ網での画情報の送信を表している。ここで、ＳＩＰでの呼接続後は、ＰＳＴＮ網と同様なプロトコルで見なし音声でのＩＰ網を利用した通信を実行する。また、相手受信機にＬａｂフルカラーの受信機能が無い時には、ＰＳＴＮと同様にモノクロ情報の通信にＦＢ（フォールバック）する。
【００６９】
Ｓ３５は、操作部の表示部に、「コンパクトフラッシュ（登録商標）カードに格納されているファイル情報の送信はできませんでした。」と表示する事を表している。この表示は何らかのキー操作で消去する。
【００７０】
Ｓ３６では、操作部の情報を入力して、フルカラー送信原稿情報の送信が選択されたか否かが判断され、ＹＥＳであるとＳ３８に進み、ＮＯである、すなわち、モノクロ情報の送信が選択されているとＳ４０に進み、モノクロ原稿の送信の実行をする。
【００７１】
Ｓ３８では、ＤＩＳ信号のＦＩＦの６８、６９ビットは１であるか否かが判断され、ＹＥＳであるとＳ４２に進み、ＮＯであるとＳ４０に進む。
【００７２】
Ｓ４０は、モノクロ原稿の送信を実行する事を表している。
【００７３】
Ｓ４２では、操作部の表示部の情報を入力し、送信モード（具体的には、標準モード、ファインモード、スーパファインモード）の選択をチェックし、標準モードであるとＳ４４に進み、ファインモードであるとＳ５０に進み、スーパファインモードであるとＳ５４に進む。
【００７４】
Ｓ４４は、残りの前手順を実行する。ここで、ＤＣＳ信号のＦＩＦの６８、６９ビットを１にする。さらに、２００ｄｐｉＸ２００ｄｐｉでの送信を指定する。
【００７５】
Ｓ４６は、選択された原稿サイズ、解像度と受信機からの受信能力から解像度、送信サイズを決定し、原稿情報を色空間ＬａｂでＪＰＥＧ符号化でフルカラー送信する事を表している。ここで、送信解像度は、ステップＳ４４、Ｓ５２、Ｓ５６で規定している。
【００７６】
Ｓ４８は、後手順を表している。
【００７７】
Ｓ５０では、受信機は、色空間Ｌａｂで、３００ｄｐｉＸ３００ｄｐｉでの受信機能があるか否かが判断され、ＹＥＳであるとＳ５２に進み、ＮＯであるとＳ４４に進む。
【００７８】
Ｓ５２は、残りの前手順を実行する。ここで、ＤＣＳ信号のＦＩＦの６８、６９ビットを１にする。さらに、３００ｄｐｉＸ３００ｄｐｉでの送信を指定する。
【００７９】
Ｓ５４では、受信機は、色空間Ｌａｂで、４００ｄｐｉＸ４００ｄｐｉでの受信機能があるか否かが判断され、ＹＥＳであるとＳ５６に進み、ＮＯであるとＳ５０に進む。
【００８０】
Ｓ５６は、残りの前手順を実行する。ここで、ＤＣＳ信号のＦＩＦの６８、６９ビットを１にする。さらに、４００ｄｐｉＸ４００ｄｐｉでの送信を指定する。
【実施例２】
【００８１】
実施例１のファクシミリ装置において、セットされた媒体からの情報を送信する時は、送信画素数が所定画素数以上であれば、第一の回線を使用してカラー通信を実行し、送信画素数が所定画素数未満であれば、第二の回線を使用してカラー通信を実行しても良い。
【００８２】
図８には、図４、図５、図６、図７の制御の流れ図に対して異なる部分の制御の流れ図が図示されている。
【００８３】
ここでは、図３にて、コンパクトフラッシュ（登録商標）カードに格納されているファイル情報の送信が選択されている時は、送信画素数が２００万画素以上であると、ユーザが選択している回線に無関係に、通信回線としてＩＰ網も利用した通信、例えば、ＩＰ電話での見なし音声通信を実行する。一方、送信画素数が２００万画素未満であると、ユーザが選択している回線に基づいて、通信回線としてＩＰ網あるいは、ＰＳＴＮ網も利用した通信を実行する。
【００８４】
図８において、Ｓ６０は、Ｓ１４のＮｏを表している。
【００８５】
Ｓ６２では、操作部の表示部の情報を入力し、使用回線の選択をチェックし、ＩＰ網の使用が選択されているとＳ６０（Ｓ１６）に進み、ＰＳＴＮ通信網の使用が選択されているとＳ６４（Ｓ１８）に進む。
【実施例３】
【００８６】
実施例１、実施例２では、インターネット通信としては、音声見なし通信を考えたが、ファクシミリ情報を変調せずに、符号化されている情報のまま送信しても良い。すなわち、インターネット通信は、いかなる方法でも良い。
【図面の簡単な説明】
【００８７】
【図１】本発明によるファクシミリ装置の実施例のブロック図
【図２】本発明によるＤＩＳ／ＤＴＣ、ＤＣＳ信号のＦＩＦ情報の具体例
【図３】本発明に操作部での送信モード選択例
【図４】本発明による制御の流れ図
【図５】本発明による制御の流れ図
【図６】本発明による制御の流れ図
【図７】本発明による制御の流れ図
【図８】本発明による制御の流れ図
【図９】本発明による操作部の具体例
【符号の説明】
【００８８】
２  NCU
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュ（登録商標）カード
３２  ネットワークカード
３４  スプリッタ
３６  ブロードバンドルータ
３８  ＰＣ
【図１】
2007043298.tif 000003
【図２】
2007043298.tif 000004
【図３】
2007043298.tif 000005
【図４】
2007043298.tif 000006
【図５】
2007043298.tif 000007
【図６】
2007043298.tif 000008
【図７】
2007043298.tif 000009
【図８】
2007043298.tif 000010
【図９】
2007043298.tif 000011